(57)【要約】      （修正有）【課題】プリンター用紙の束をずれない状態で容易に給紙トレイあるいはオートシートフィーダーに給紙し、交換、保管でき、また用紙ガイドを調節することなく、異なった大きさの用紙を給紙トレイあるいはオートシートフィーダーに給紙できるプリンター用紙ホルダーを提供する。【解決手段】開口部のある箱状のホルダーにおいて、給紙トレイに格納し給紙する際に、給紙ローラーやプリンター用紙の動作に支障のある部分をあらかじめ設けないか部分的に切り欠きを設けるとともに、収納されたプリンター用紙の束を手指で保持するための切り欠き５を設ける。また小さな用紙ホルダーにおいては、底面部をプリンター給紙トレイに収納できる最大の用紙と同じ大きさに拡大する。【選択図】図３
0003211465.tif 000002
【実用新案登録請求の範囲】
【請求項１】
プリンターの給紙トレイやオートシートフィーダーに格納したときに給紙ローラーの正常な動作や紙送りに支障をきたす部分をあらかじめ除去した、
プリンター用紙の束を開口部から一定程度露出させた状態でぴったり収納できる、
底面部・側面部・上面部・背面部からなる開口部のある箱状の形状で、
上面部と背面部の接続部中央に上面部と背面部にわたる切り欠きを設けるか、
背面部中央もしくは背面部左右に切り欠きを設けた、
一定の柔軟性を持った素材からなるプリンター用紙ホルダー。
【請求項２】
請求項１のプリンター用紙ホルダーの底面部を給紙方向に拡大して収納するプリンター用紙と同じ大きさとし、
給紙方向の底面部端部中央に底面部切り欠きを設けた、
プリンター用紙ホルダー。
【請求項３】
比較的小さな用紙を収納する請求項２のプリンター用紙ホルダーの底面部をプリンター給紙トレイに収納できる最大の用紙と同じ大きさとなるよう側面部方向・背面部方向に拡大し、
底面部切り欠きの両側に用紙ストッパーを設けた、
プリンター用紙ホルダー。
【考案の詳細な説明】
【技術分野】
【０００１】
この考案は、一般的なパソコン用プリンターの給紙トレイあるいはオートシートフィーダーに格納するプリンター用紙ホルダーで、内部に収納したプリンター用紙をプリンターに給紙することが可能なプリンター用紙ホルダーに関する。
【背景技術】
【０００２】
一般的なパソコン用プリンターでは、通常使用するいわゆる普通紙以外にも、光沢紙、はがきなど、材質や大きさが異なる用紙を使用することが多いが、用紙交換時は用紙の束をそのまま手指で取り扱い、保管のためには購入時の包装袋に入れるなどしていた。
また、大きさの異なる用紙と交換する場合は、その都度プリンターの用紙ガイドの位置調節をしていた。
【先行技術文献】
【特許文献】
【０００３】
【特許文献１】特開２０１４−０８３８４１
【考案の概要】
【考案が解決しようとする課題】
【０００４】
プリンター用紙交換時において、給紙トレイあるいはオートシートフィーダーに給紙する場合や、保管のために包装袋に入れる場合、用紙の束がずれないように注意を払って取り扱ったり、ずれた用紙の束を整えたりする必要があった。
また、異なった大きさの用紙と交換するときは、その都度用紙ガイドの位置調整をする必要があった。
給紙トレイ内に給紙補助具を格納する発明としては特開２０１４−０８３８４１があり、後述する本考案実施例３と類似であるが、同発明の給紙補助具は束となった用紙を安定した状態で収納したまま給紙トレイに着脱する機能はなかった。
【課題を解決するための手段】
【０００５】
上記課題を解決するために、本考案は、
プリンターの給紙ローラーの正常な動作や紙送りに支障をきたす部分をあらかじめ除外した、
プリンター用紙の束をぴったり収納できる、開口部のある箱状の形状とし、
交換時にプリンター用紙の束が本考案から脱落しないよう、開口部の反対側に、収納したプリンター用紙の束を手指で保持するための切り欠きを設けるか、
給紙ローラーの正常な動作や重送防止機構の作用に支障のない範囲で、給紙方向の底面部に接続してストッパーを設ける。
また、本考案内部に収納するプリンター用紙が比較的小さい場合、必要に応じ、底面部の大きさをプリンター給紙トレイに収納できる最大の用紙と同じ大きさとする。
【考案の効果】
【０００６】
上記構成の本考案を使用することにより、プリンター用紙の束をずれないように交換・保管することが容易になる。
また、用紙ガイドを調節することなく、異なった大きさの用紙を給紙トレイあるいはオートシートフィーダーに給紙することが可能となる。
【図面の簡単な説明】
【０００７】
【図１】本考案請求項１の実施例の斜視図。
【図２】プリンター用紙収納時の本考案請求項１の実施例の斜視図。
【図３】本考案請求項１の実施例において内部のプリンター用紙の束を手指で直接保持する状態を説明する斜視図。
【図４】本考案請求項１の実施例において内部のプリンター用紙の束を上面部に接続したフラップを介して手指で保持する状態を説明する斜視図。
【図５】本考案請求項１の実施例において内部のプリンター用紙の束を上面部と底面部を介して手指で保持する状態を説明する斜視図。
【図６】本考案請求項１の実施例において内部のプリンター用紙の束を上面部と底面部を介して手指で保持する状態を説明する斜視図。
【図７】本考案請求項２の実施例の斜視図。
【図８】本考案請求項２の実施例の斜視図。
【図９】プリンター用紙収納時の本考案請求項２の実施例の斜視図。
【図１０】本考案実施例１を前面給紙機構のプリンター給紙トレイに格納した状態の側面図。
【図１１】本考案実施例１を背面給紙機構のオートシートフィーダーに架した状態の側面図。
【図１２】本考案実施例２を前面給紙機構のプリンター給紙トレイに格納した状態の側面図。
【図１３】本考案実施例２を背面給紙機構のオートシートフィーダーに架した状態の側面図。
【図１４】本考案請求項３の実施例の斜視図。
【図１５】プリンター用紙収納時の本考案請求項３の実施例の斜視図。
【図１６】本考案実施例３を前面給紙機構のプリンター給紙トレイに格納した状態の側面図。
【図１７】本考案請求項１の実施例において内部のプリンター用紙の束を底面部に接続したフラップを介して手指で保持する状態を説明する斜視図。
【考案を実施するための形態】
【０００８】
図面に沿って、本考案実施例を説明する。なお、図中、本考案実施例は太線、プリンター用紙は細線、プリンター側機構は太破線で表す。
図１は本考案実施例１の構造を説明する斜視図で、図２に表れるように、開口部からプリンター用紙の束６が一定程度露出するように底面部１・側面部２・上面部３の奥行きをプリンター用紙の長辺より短く設定する。
この露出により、図１０、図１１に表れるように、プリンターの給紙ローラー１０の正常な動作や給紙経路が確保される。
なお図１０においては、給紙ローラー１０が白矢印方向にプリンター用紙の束６に押しつけられ黒矢印方向に回転することにより、用紙は給紙トレイ１１の図中左端からプリンター内部に給紙されるが、用紙がなくなった時点で給紙ローラー１０は給紙トレイ１１の底部に接触して空転する。
図１１において、実施例１は用紙サポート１２に接し、プリンター用紙の束６は白矢印方向に動くオートシートフィーダー１３によって給紙ローラー１０に押し付けられ、用紙は順次プリンター給紙部１４に給紙される。最後の用紙の給紙に伴い実施例１も下降するが、給紙口に当たってとどまるのでプリンター内部には引き込まれない。
前述の給紙ローラー１０の正常な動作とは、用紙が残っているうちは用紙を給紙し、用紙がなくなったときには空転することを表す。
【０００９】
図３、図４、図５、図６、図１７は、本考案実施例１の内部に収納されたプリンター用紙の束を手指７で保持するための用紙束保持用切り欠き５およびフラップ８について説明する斜視図である。
図３では、上面部３から背面部４にかけて用紙束保持用切り欠き５を設けた形態を図示する。この場合、プリンター用紙の束６は、上部は手指７で直接、下部は底面部１を介して手指７で保持される。
図４では、上面部３に接続するフラップ８を用紙束保持用切り欠き５内に設けた形態を図示する。この場合、プリンター用紙の束６は、底面部１とフラップ８を介して手指７で保持される。なお、フラップ８は、図１７のように底面部１と接続してプリンター用紙の束６の上面にわたる形状として、同様の保持を可能にすることもできる。
図５では、用紙束保持用切り欠き５を背面部４にのみ設けた形態を図示する。この場合、プリンター用紙の束６は、底面部１と上面部３を介して手指７で保持される。その際、底面部１と上面部３はプリンター用紙の束６の厚さに合わせて変形する。
図６では、用紙束保持用切り欠き５を背面部４の左右に設けた形態を図示する。この場合、プリンター用紙の束６は、底面部１と上面部３を介して手指７で保持される。その際、背面部４はプリンター用紙の束６の厚さに合わせて変形する。
図４、図５、図６、図１７の形態では、プリンター用紙の束６に手指７が直接触れないので、用紙を不用意に汚損することがない。
【００１０】
図７、図８は本考案実施例２の構造を説明する斜視図で、図９は図７の実施例２にプリンター用紙の束６を収納した状態を図示する。
実施例２では、底面部１の大きさを収納するプリンター用紙と等しくすることにより、用紙交換時や保管時にプリンター用紙の束６が不用意にたわんだり他の器物に当たって傷ついたりすることなどを防ぐ。
【００１１】
また、図７の実施例２のように底面部１の開口部方向の端部中央に底面部切り欠き９を設けることにより、図１２の状態から印刷の進行に従ってプリンター用紙の束６がなくなった場合でも、給紙ローラー１０が底面部１に触れることなく給紙トレイ１１に接して空転するため、実施例２はプリンター内部に引き込まれない。また、図１３において、底面部１はオートシートフィーダー１３とともに白矢印方向に動くが、用紙がなくなっても給紙ローラー１１によって下方に駆動されないため、実施例２はプリンター内部に引き込まれない。なお底面部切り欠き９は、給紙ローラー１１が底面部１に接触しない形状で重送防止機構の作用に支障がない範囲ならば、図８に表れるような孔状でもよい。
【００１２】
なお、実施例２において内部のプリンター用紙の束６を手指７で保持するための構造は、図３、図４、図５、図６、図１７に表れる実施例１における構造と同一とする。
【００１３】
図１４は本考案実施例３の構造を説明する斜視図で、図１５は実施例３にプリンター用紙の束６を収納した状態を図示する。
実施例３は、はがきなどの比較的小さな用紙を収納して前面給紙機構のプリンター給紙トレイ１１に格納することを前提とした考案で、底面部１はプリンター給紙トレイ１１に収納できる最大の用紙と同じ大きさとし、側面部２、背面部４、ストッパー１５によって作られる収納部分は、収納する用紙と同じ大きさとする。
実施例３では、底面部１の後方端部と背面部４が離れることにより、用紙束保持用切り欠き５を設けても手指７による保持が困難になるため、プリンターの重送防止機構の動作に支障のない位置にストッパー１５を設け、給紙トレイ１１への実施例３の着脱時などにおける用紙の脱落を防ぐ。なお、ストッパー１５は、図１６に示すように、給紙トレイ１１の給紙部分の傾斜に合わせた角度で底面部１と接続する。
【符号の説明】
【００１４】
１  底面部
２  側面部
３  上面部
４  背面部
５  用紙束保持用切り欠き  
６  プリンター用紙束
７  手指
８  フラップ
９  底面部切り欠き
１０  給紙ローラー
１１  給紙トレイ
１２  用紙サポート
１３  オートシートフィーダー
１４  プリンター給紙部
１５  用紙ストッパー
【図１】
0003211465.tif 000003
【図２】
0003211465.tif 000004
【図３】
0003211465.tif 000005
【図４】
0003211465.tif 000006
【図５】
0003211465.tif 000007
【図６】
0003211465.tif 000008
【図７】
0003211465.tif 000009
【図８】
0003211465.tif 000010
【図９】
0003211465.tif 000011
【図１０】
0003211465.tif 000012
【図１１】
0003211465.tif 000013
【図１２】
0003211465.tif 000014
【図１３】
0003211465.tif 000015
【図１４】
0003211465.tif 000016
【図１５】
0003211465.tif 000017
【図１６】
0003211465.tif 000018
【図１７】
0003211465.tif 000019